(57)【要約】【課題】  空調装置用ダクトを簡単に連結できるとともに、連結部分の気密性を確実に保持できる空調装置用ダクトの連結構造を提供する。【解決手段】  ケーシング２と一体形成され、開口縁が斜面８で形成された一方のダクト５と、このダクト５が開口９内に挿入され、開口内壁が斜面８と密着当接する他方のダクト６とからなり、ダクト５、６の連結状態を保持するロック部１２を備えた。これにより、ダクト５、６の連結時に、一方のダクト５を他方のダクト６の開口９内に挿入して押し込むと、一方のダクト５の開口縁が他方のダクト６の開口内壁１０と密着当接するとともに、突起１３が係止孔１４に係止されるので、ダクト５、６が気密的に連結した状態が保持される。【選択図】      図３
2006315534.tif 000002
【特許請求の範囲】
【請求項１】
開口縁が斜面（８）で形成された一方のダクト（５）と、少なくとも１つの合わせ面を備えるとともに、開口（９）内に前記一方のダクト（５）が挿入されて開口内壁（１０）が前記斜面（８）と密着当接する他方のダクト（６）とからなる空調装置（１）用ダクトの連結構造（４，１７）。
【請求項２】
請求項１に記載の空調装置（１）用ダクトの連結構造（４，１７）であって、前記一方のダクト（５）と前記他方のダクト（６）とが連結した状態を保持するロック部（１２）を有することを特徴とする空調装置（１）用ダクトの連結構造（４，１７）。
【請求項３】
請求項１に記載の空調装置（１）用ダクトの連結構造（１７）であって、前記開口（９）の周方向の一部に、脱着用ツール挿入部（１８）を有することを特徴とする空調装置（１）用ダクトの連結構造（１７）。
【発明の詳細な説明】
【技術分野】
【０００１】
本発明は、車両用空調装置などに用いられる空調装置用ダクトの連結構造に関する。
【背景技術】
【０００２】
従来、この種の空調装置用ダクトの連結構造として、送風ブロアを収納するケーシングとダクトとの間にパッキンなどのシール材を挟んでねじ止めしたり、インロー部分でシールしてねじ止めするものがあった。しかしながら、この従来技術では、パッキンなどのシール材やねじ部材などを必要とし、部品コストが掛かるとともに取付け時の作業工数が増加するという問題があった。
【０００３】
そこで、このような従来技術における問題を解決する一手段として、例えば、特許文献１に記載されているように、送風ブロア用ケーシングに接続される雄型ダクトと吹出口側に接続される雌型ダクトとの２分割構造とし、シール部材として雌型ダクトの端部を内側に折り曲げた折曲げ片を連続して形成した「車両用空調ダクトの連結構造」が提案されている。この従来技術にあっては、送風用ブロアに雌型ダクトの端部を雄型ダクトの端部外周縁に嵌合させて、雌型ダクトと雄型ダクトとを締付ねじで締結することにより、折曲げ片が雄型ダクトの端部外周縁に押圧されて雌型ダクトの端部内周面に折畳まれることにより、これらのダクトを気密的に接続することができる。
【特許文献１】特開２００１−２０６０４２号公報（段落番号００１６、００１７、図２〜図４）
【発明の開示】
【発明が解決しようとする課題】
【０００４】
しかしながら、特許文献１に記載されている従来技術では、パッキンなどのシール材が不要なので部品コストや取付け時の作業工数を減らすことができるが、雌型ダクトと雄型ダクトとを締結するねじ部材を必要とするので、この点で部品コストが掛かるとともに取付け時の作業工数が増加するという問題があり、加えて、外力や振動などがにより次第にダクト間でがたつきが生じて連結部分の気密性を損なう可能性があった。
【０００５】
本発明は、上記のような従来技術を考慮してなされたもので、その目的は、シール材やねじ部材を要せずに空調装置用ダクトを簡単に連結できるとともに、連結部分の気密性を確実に保持することのできる空調装置用ダクトの連結構造を提供することにある。
【課題を解決するための手段】
【０００６】
上記目的を達成するため本発明は、開口縁が斜面で形成された一方のダクトと、少なくとも１つの合わせ面を備えるとともに、開口内に前記一方のダクトが挿入されて開口内壁と前記斜面とが密着当接する他方のダクトとからなる構成にしてある。
【０００７】
このように構成した本発明では、空調装置用ダクトを連結する際、一方のダクトの一端を他方のダクトの開口内に挿入して押し込むことにより、一方のダクトの斜面を他方のダクトの開口内壁と密着当接させる。これにより、シール材やねじ部材を要せずに空調装置用ダクトを簡単に連結できる。また、この連結状態で一方のダクトの斜面が他方のダクトの開口内壁と密着当接しているので、空調装置用ダクトの連結部分の気密性を確実に保持できる。
【発明の効果】
【０００８】
本発明では、シール材やねじ部材を要せずに空調装置用ダクトをケーシングに簡単に連結でき、したがって、部品コストや取付け時の作業工数が減り安価な空調装置を得ることができるという効果がある。また、上記の連結部分の気密性を確実に保持でき、したがって、空調装置用ダクトより空調風が漏れることを防止できるので、信頼性の高い空調装置を得ることができるという効果もある。
【発明を実施するための最良の形態】
【０００９】
以下、本発明の実施の形態に係る空調装置用ダクトの連結構造の詳細を図に基づいて説明する。
【００１０】
〔第１の実施形態〕
図１は本発明の第１の実施形態に係るダクトの連結構造を備えた空調装置の斜視図、図２は本実施形態の連結構造を示す側面図、図３は空調装置用ダクトの分割状態を示す断面図、図４は本実施形態の連結構造を示す断面図、図５は他方のダクトを示す斜視図、図６は空調装置用ダクトの分割状態を示す斜視図、図７は空調装置用ダクトを連結した状態を示す斜視図、図８は一方のダクトを備えたケーシングを示す斜視図、図９は空調装置用ダクトの分割状態を示す斜視図、図１０は空調装置用ダクトを連結した状態を示す斜視図である。なお、図５〜図７はケーシングおよびダクトを図１の右側から見た斜視図で、これらのうち図６および図７ではケーシングの一部を省略して図示している。また、図８〜図１０はケーシングおよびダクトを図１の左側から見た斜視図である。
【００１１】
図１に示すように空調装置１は、互いに連結される左右一対のケーシング２、３を有している。そして、本実施形態の連結構造４は、ケーシング２と一体に形成された一方のダクト５と、この一方のダクト５に着脱可能な他方のダクト６とから構成されている。同様に、他のケーシング３にも図示しない一方のダクトが形成され、この一方のダクトに他方のダクト７が着脱可能である。
【００１２】
図３および図４などに示すように、一方のダクト５の開口縁（外周面）は、根元部分から先端に向かって次第に内側へ傾斜する斜面８で形成され、例えばこの傾斜角度が０．５度に設定されている。他方のダクト６は、一方のダクト５が挿入される開口９を有し、開口内壁（内周面）１０が上記の一方のダクト５の斜面８と密着当接する。また、一方のダクト５の外周には位置決め用合わせ面１１が設けられ、他方のダクト６の内周にも図示しない合わせ面が設けられている。
【００１３】
また、本実施形態の連結構造４は、一方のダクト５と他方のダクト６とが連結した状態を保持するロック部１２を有し、このロック部１２は、一方のダクト５外周の斜面８より外側へ突出する複数の突起１３と、他方のダクト６に設けられ、突起１３がそれぞれ係止される係止孔１４とからなり、突起１３には、他方のダクト６の開口縁が摺接するガイド面１５が形成されている。係止孔１４の近傍には、他方のダクト６の開口端から挿入方向（図２および図３の左右方向）に延びるスリット１６が形成されているので、突起１３で他方のダクト６の開口縁が外側へ押し広げられたとき、このダクト６の開口縁が弾性変形可能である。
【００１４】
この実施形態の連結構造４にあっては、ダクト５、６の連結時に一方のダクト５の開口端（図３の左端）を他方のダクト６の開口９内に挿入して押し込むことにより、一方のダクト５外周の斜面８が他方のダクト６の開口９の開口内壁１０と密着当接する。このとき、突起１３のガイド面１５に他方のダクト６の開口縁が摺接して、この他方のダクト６の開口縁が押し広げられて弾性変形した後、突起１３が他方のダクト６の係止孔１４に係止されるので、一方のダクト５と他方のダクト６とが連結した状態が保持される。
【００１５】
このように構成した第１の実施形態では、ダクト５、６の連結時に、ケーシング２と一体的に形成した一方のダクト５を他方のダクト６の開口９内に挿入して押し込むことにより、シール材やねじ部材を要せずにダクト５，６を簡単に連結できる。
【００１６】
また、第１の実施形態では、上記のようにダクト５、６を連結した状態で一方のダクト５の開口縁が他方のダクト６の開口内壁１０と密着当接しており、さらにロック部１２により上記のダクト５，６間の連結状態をロックしているので、上記のダクト５、６間の連結部分の気密性をより確実に保持できる。
【００１７】
〔第２の実施形態〕
図１１は本発明の第２の実施形態に係る空調装置用ダクトの連結構造を示す斜視図である。なお、図１１において前述した図１〜図１０に示すものと同等のものには同一符号を付してある。
【００１８】
図１１に示す本実施形態の連結構造１７では、前述した図１〜図１０に示す第１の実施形態と比べて、ダクト６の開口９の周方向の一部に、脱着用ツール挿入部１８を備えたことが異なっており、その他の構成は第１の実施形態と基本的に同様である。
【００１９】
この第２の実施形態では、一方のダクト５から他方のダクト６を取外す際に、脱着用ツール挿入部１８に図示しない脱着用ツールを挿入して他方のダクト６の開口縁を外側に押し広げて弾性変形させることにより、突起１３が他方のダクト６の係止孔１４に係止される状態を解除して、他方のダクト６を一方のダクト５から離脱させる。
【００２０】
このように構成した第２の実施形態でも、第１の実施形態と同様の基本的な効果が得られる。さらに、この第２の実施形態では、脱着用ツール挿入部１８に脱着用ツールを挿入して一方のダクト５から他方のダクト６を容易に取外すことができる。
【産業上の利用可能性】
【００２１】
本発明は、部品コストや取付け時の作業工数を減らして安価な空調装置を得ることができ、また、空調用ダクトより空調風が漏れることを防止でき信頼性を向上できるという効果があるので、車両用空調装置用ダクトの連結構造として適用できるとともに、その他、一般機械用あるいは産業機械用などの空調装置用ダクトの連結構造としても広く適用可能である。
【図面の簡単な説明】
【００２２】
【図１】本発明の第１の実施形態に係る連結構造を備えた空調装置の斜視図である。
【図２】本実施形態の連結構造を示す側面図である。
【図３】空調装置用ダクトの分割状態を示す断面図である。
【図４】本実施形態の連結構造を示す断面図である。
【図５】他方のダクトを示す斜視図ある。
【図６】空調装置用ダクトの分割状態を示す斜視図である。
【図７】空調装置用ダクトを連結した状態を示す斜視図である。
【図８】一方のダクトを備えたケーシングを示す斜視図である。
【図９】空調装置用ダクトの分割状態を示す斜視図である。
【図１０】空調装置用ダクトを連結した状態を示す斜視図である。
【図１１】本発明の第２の実施形態に係る空調装置用ダクトの連結構造を示す斜視図である。
【符号の説明】
【００２３】
１  空調装置
２、３  ケーシング
４  連結構造
５  一方のダクト
６、７  他方のダクト
８  斜面（開口縁）
９  開口
１０  開口内壁
１２  ロック部
１３  突起
１４  係止孔
１５  ガイド面
１６  スリット
１７  連結構造
１８  脱着用ツール挿入部
【図１】
2006315534.tif 000003
【図２】
2006315534.tif 000004
【図３】
2006315534.tif 000005
【図４】
2006315534.tif 000006
【図５】
2006315534.tif 000007
【図６】
2006315534.tif 000008
【図７】
2006315534.tif 000009
【図８】
2006315534.tif 000010
【図９】
2006315534.tif 000011
【図１０】
2006315534.tif 000012
【図１１】
2006315534.tif 000013